(57)【要約】【課題】画像表示装置上で表示されている情報以上の情報を簡単に手に入れることができ、また、電話番号やＵＲＬ等、画像表示装置上に表示されている情報を、手入力により情報携帯端末に入力する手間を省くことができる画像表示システムを提供する。【解決手段】電子画像を表示する画像表示装置１と情報携帯端末２とからなり、両者の間でデータの授受が可能な画像表示システムにおいて、画像表示装置１は、画像データを表示する画像表示部１１と、画像データ及び情報携帯端末２に送信する送信データを保持するデータ保持部１３とを備え、情報携帯端末２の送信要求に応じて送信データを情報携帯端末２に送信する機能を有する。【選択図】        図１
2004191733.tif 000002
【特許請求の範囲】
【請求項１】
電子画像を表示する画像表示装置と情報携帯端末とからなり、両者の間でデータの授受が可能な画像表示システムにおいて、画像表示装置は、画像データを表示する画像表示部と、画像データ及び情報携帯端末に送信する送信データを保持するデータ保持部とを備え、情報携帯端末の送信要求に応じて送信データを情報携帯端末に送信する機能を有することを特徴とする画像表示システム。
【請求項２】
請求項１の画像表示システムにおいて、情報形態端末は、送信データの種類を選択する機能を有することを特徴とする画像表示システム。
【請求項３】
請求項１の画像表示システムにおいて、画像表示装置は、送信データの種類を選択する操作部を備えたことを特徴とする画像表示システム。
【発明の詳細な説明】
【０００１】
【発明の属する技術分野】
本発明は、電子画像を表示する画像表示装置と情報携帯端末とからなり、両者の間でデータの授受が可能な画像表示システムに関するものである。
【０００２】
【従来の技術】
広告等の目的でディスプレイ上に電子画像を表示する電子広告システムがに開示されており（例えば、特許文献１参照）、薄型表示装置とＬＡＮを使用することによって、広告を目的とした電子画像の掲示を実現している。
【０００３】
また、類似の技術として、原稿入替えの操作なく大量の原稿の読取りと高速画像更新が可能であり、さらに画像情報の合成が可能な特許文献２の「画像読取表示システムの作動方式および自動原稿読取装置」が知られている。
【０００４】
【特許文献１】
特開平９−３２５９９２号公報
【特許文献２】
特開平９−１６３０３９号公報
【０００５】
【発明が解決しようとする課題】
特許文献１の「電子広告システム」に示すように、公共の場所に広告を掲示する技術として、電子画像を表示する表示装置を用いることは既知の技術となっている。これは、人間がそこに掲示してある情報を視覚により読取り理解するという情報伝達手段にのみ着目したものである。しかしこの手段は以下の点に課題がある。
【０００６】
１）詳細情報の欠如
広告は不特定多数の人をターゲットにしたものであるため、表示のインパクトや分かり易さを重視したものが多い。その分その内容に興味を持った人にとっては情報が足らない。
【０００７】
２）宛先情報の記載
電話番号やＷＷＷのＵＲＬ等の情報は、人が商品等の広告の内容を理解するための情報ではなく、最終的には情報携帯端末等のデバイスに入力するための情報である。現状では広告上にこれらの記載がある場合、それをメモし、デバイス入力するという手間が必要となる。
【０００８】
本発明は、それらの問題を解決し、画像表示装置上で表示されている情報以上の情報を簡単に手に入れることができ、また、電話番号やＵＲＬ等、画像表示装置上に表示されている情報を、手入力により情報携帯端末に入力する手間を省くことができる画像表示システムを提供することを目的とする。
【０００９】
【課題を解決するための手段】
上記目的を達成するために、請求項１記載の発明は、電子画像を表示する画像表示装置と情報携帯端末とからなり、両者の間でデータの授受が可能な画像表示システムにおいて、画像表示装置は、画像データを表示する画像表示部と、画像データ及び情報携帯端末に送信する送信データを保持するデータ保持部とを備え、情報携帯端末の送信要求に応じて送信データを情報携帯端末に送信する機能を有する画像表示システムを最も主要な特徴とする。
【００１０】
請求項２記載の発明は、請求項１の画像表示システムにおいて、情報形態端末は、送信データの種類を選択する機能を有する画像表示システムを主要な特徴とする。
【００１１】
請求項３記載の発明は、請求項１の画像表示システムにおいて、画像表示装置は、送信データの種類を選択する操作部を備えた画像表示システムを主要な特徴とする。
【００１２】
【発明の実施の形態】
以下、図面により本発明の実施の形態を詳細に説明する。
図１は本発明の実施の形態に係る画像表示システムの構成図である。本システムは、画像表示装置１と情報携帯端末２とからなる。画像表示装置１は、画像表示部１１、データ送受信部１２を有する。情報携帯端末２もデータ送受信部２１を有する。
【００１３】
画像表示装置１と情報携帯端末２は非接触型のデータ送受信手段（データ送受信部１２、２１）によってデータの授受が可能になっている。このデータの授受は至近距離で行われるため、指向性が高く送信可能距離の短い赤外線通信（ＩｒＤＡ）等がふさわしいが、それに準ずるものであればその種類は特に規定しない。
【００１４】
図２は画像表示装置の内部構成図である。画像表示部１１は、データ保持部１３に保持されている画像データをロードし表示する。データ送受信部１２は、情報携帯端末２からのデータ送信要求を受けて、データ保持部１３から送信データをロードし、情報携帯端末２にデータを送信する。
【００１５】
データ保持部１３は、画像表示部１１に表示する画像データとデータ送受信部１２から情報携帯端末２に送るための送信データを保持する。外部Ｉ／Ｆ１４は、システム外部のデータ入力装置（端末）３との通信手段を持ち、データ入力装置３からの指示で、表示用のデータと送信用のデータをデータ保持部１３にセーブする。
【００１６】
図３は画像表示装置の保持するデータを更新するときのシーケンス例を示す図である。（１）に示す表示データの更新は、データ入力装置３からの表示データ更新要求により開始される。画像表示装置１が更新を許可すると、データ入力装置３は表示データのダウンロードを開始する。画像表示装置１は、ダウンロードされたデータをデータ保持部１３に保管する。（２）に示す送信データの更新についても同様の手順で行われる。
【００１７】
図４は画像表示装置から情報携帯帯末にデータを送信するときのシーケンス例を示す図である。情報携帯端末２から情報送信要求を受けると、画像表示装置１はデータ送受信部１２を通してデータ保持部１３の送信データを情報携帯端末２に送信する。
【００１８】
データ保持部１３では複数の送信データを保持する。例えば、電話番号データ、ＵＲＬデータ、商品詳細データなどを別ファイルとして保持する。図５は画像表示装置から情報携帯端末に送信データを送信するときのシーケンス例を示す図である。
【００１９】
情報携帯端末２は、画像表示装置１に対してデータ情報送信要求を出す。これは画像表示装置１がどのような送信データを保持しているかの情報を取得するための要求である。画像表示装置１は、データ保持部１３で保持している送信データをチェックし、その情報を情報携帯端末２に渡す。図６は送信データの内容の例を示す図表である。
【００２０】
送信データの内容を元に、情報携帯端末２のユーザは受信したい送信データを選択し、画像表示装置１に対してデータ識別子と共にデータ送信要求を送る。画像表示装置１は、データ識別子で指定された送信データをデータ保持部１３から取り出し、データ送受信部１２を通して情報携帯端末２に送る。
【００２１】
データ保持部１３ではあらかじめ規定された複数の送信データを保持する。例えば、電話番号データ、ＵＲＬデータ、商品詳細データなどを別ファイルとして保持する。
【００２２】
図７は操作部を設け、その詳細を拡大して示した画像表示装置の正面図である。図７に示すように画像表示装置１上には操作部１５があり、送信データを選択ボタン１５−１で選択することができる。選択された項目のＬＥＤ１５−２が点灯する。
【００２３】
情報携帯端末ユーザは、画像表示装置１上の操作部１５で送信データを選択した後、情報携帯端末２からデータ送信の要求を行う。このときの画像表示装置１と情報携帯端末２間のシーケンスは図４と同様になる。送信データは、画像表示装置１の操作部１５で指定されたもののみが送られる。
【００２４】
【発明の効果】
以上説明したように、請求項１によれば、画像表示装置上で表示されている情報以上の情報を簡単に手に入れることができる。また、電話番号やＵＲＬ等、画像表示装置上に表示されている情報を、手入力により情報携帯端末に入力する手間を省くことができる。
【００２５】
請求項２によれば、不特定多数の送信データのうち必要なもののみを情報携帯端末に送信することができる。
【００２６】
請求項３によれば、データ送信のプロトコルを複雑にすることなく、画像表示装置が保持する複数の送信データのうち、必要なもののみを情報携帯端末に送信することができる。
【図面の簡単な説明】
【図１】本発明の実施の形態に係る画像表示システムの構成図である。
【図２】画像表示装置の内部構成図である。
【図３】画像表示装置の保持するデータを更新するときのシーケンス例を示す図である。
【図４】画像表示装置から情報携帯帯末にデータを送信するときのシーケンス例を示す図である。
【図５】画像表示装置から情報携帯端末に送信データを送信するときのシーケンス例を示す図である。
【図６】送信データの内容の例を示す図表である。
【図７】操作部を設け、その詳細を拡大して示した画像表示装置の正面図である。
【符号の説明】
１  画像表示装置
２  情報携帯端末
１１  画像表示部
１３  データ保持部
【図１】
2004191733.tif 000003
【図２】
2004191733.tif 000004
【図３】
2004191733.tif 000005
【図４】
2004191733.tif 000006
【図５】
2004191733.tif 000007
【図６】
2004191733.tif 000008
【図７】
2004191733.tif 000009